(57)【要約】最も少ない量の容積を占める構成に内部構成部材を位置決めすることによって補聴器の寸法を最小化することができる。マイクロフォンを斜めに配置するためのポケットは、補聴器シェルの所要の寸法を減じ、組立てを容易にする。
2005520424.tif 000002
【特許請求の範囲】
【請求項１】
補聴器のための面板アセンブリにおいて、
電池のための電池収容部と、
マイクロフォンのためのポケットとが設けられていることを特徴とする、補聴器のための面板アセンブリ。
【請求項２】
前記ポケットが、面板の一方の側に凹所を規定しておりかつ、マイクロフォンの面と係合する面を有している、請求項１記載のアセンブリ。
【請求項３】
前記面板が、平面を規定しており、ポケットの前記面が、面板の平面に対して直角を成していない、請求項２記載のアセンブリ。
【請求項４】
ポケットの前記面に接着剤が塗布されている、請求項１記載のアセンブリ。
【請求項５】
補聴器において、
シェルハウジングと、
該シェルハウジングに取り付けられた面板とが設けられており、
前記シェルハウジングが、面板上に配置された電池収容部と、面板と一体的な、マイクロフォンのためのポケットとを有することを特徴とする、補聴器。
【請求項６】
前記ポケットが、面板の一方の側に凹所を規定しておりかつ、マイクロフォンの面と係合する面を有している、請求項５記載の補聴器。
【請求項７】
前記面板が、平面を規定しており、前記ポケットの面が、面板の平面に対して直角を成していない、請求項６記載の補聴器。
【請求項８】
前記ポケットの面に接着剤が塗布されている、請求項５記載の補聴器。
【請求項９】
補聴器のためのモジュールアセンブリにおいて、
互いに対して概して平行な内面及び外面を含む面板と、
該面板上の収容部に配置された概して円筒形の電池とが設けられており、該電池が部分的に内面の上方へ突出しており、
マイクロフォンが設けられており、該マイクロフォンの面が、電池の円筒状の面に対してほぼ接線方向に延びていることを特徴とする、補聴器のためのモジュールアセンブリ。
【発明の詳細な説明】
【技術分野】
【０００１】
耳の中に位置する補聴器のシェルは、様々な構成部材を収容するために必要な内部容積を提供すると同時に、ユーザの耳の穴に適合するように十分に小さくなければならない。これらの装置の例は、米国特許第５７９９０９５号明細書、米国特許第５８８９８７４号明細書、米国特許第５９１５０３１号明細書及び米国特許第６０８８４６５号明細書に示されており、これらの明細書は全て引用により本明細書に記載されたものとする。これらの構成部材の幾つかは、電池と、マイクロフォンと、受信機と、電子機器と、パッケージとを含む。
【０００２】
図面の簡単な説明
図１は、電池とマイクロフォンとを有する補聴器面板の図面である；
図２は、図１の面板の部分的な正面図である；
図３は、補聴器のマイクロフォンの斜視図である；
図４は、電池及びマイクロフォンが取り外された図１の面板の内面の図である；
図５は、補聴器の部分的な切り取られた正面図である；
図６は、補聴器のための択一的なマイクロフォンを示している；
図７は、択一的な面板を示している。
【０００３】
発明の説明
電池の近傍において、装置の面板の平面に対して所定の角度で方向付けるポケット内にマイクロフォンを位置決めすることによって、シェル内の内部容積の使用が最大化されることができるのに対し、シェルの全体的な寸法が最小化されることができる。
【０００４】
図１に示された面板１０は、概して円筒状の電池２０及びマイクロフォン３０を含む、補聴器の構成部材のための基部を提供する。米国特許第５７９９０９５号明細書及び第６０８８４６５号明細書に示されているように、電池２０は、面板に組み付けられたドア内に位置している（両特許明細書のエレメント３２を参照）。
【０００５】
面板１０は、図２の部分的な平面図に電池２０及びマイクロフォン３０を備えることなく示されている。支持接点ブラケット２０は電池２０を保持するが（図１参照）、図１には１つだけしか示されていない。
【０００６】
マイクロフォン３０が図３に個別に示されている。マイクロフォン３０の底面３２は、マクロフォンの本体の内部（見えない若しくは示されていない）に音を進入させるための開口３４を有している。
【０００７】
マイクロフォン３０のためのポケット４０が、電池２０の一方の側において面板１０の内面１２に設けられている。ポケット４０は、互いに直角に隣接する、概して矩形の２つの面、すなわち、マイクロフォン３０の底面のための座部として機能する矩形の面４２と、マイクロフォン３０の背面３６の一部を収容する背側区分４４とを有している。矩形の面４２と背側区分４４とは相俟って、ポケットを完成させる互いに向き合った三角形の面４６及び４８を規定している。
【０００８】
図１及び図２に示されているように、マクロフォン３０のための付加的な支持を提供するために、面板１０の内面１２の上方に、向き合った面４６及び４８が延長されていることができる。４つの面４２，４４，４６及び４８が相俟って、マイクロフォン３０の形状に概して合致し、これによりマイクロフォンの確実な位置合わせを提供する。
【０００９】
矩形面４２は、面板１０の外面１４に対して０〜９０゜の間の所定の角度をなして配置されている。図１及び図２に示したように、この角度は、マイクロフォン３０と電池２０との間に隙間を生じながらこれらの２つの部材を近接させるように選択されることができる。図２の場合、角度は約２５゜である。その結果、マイクロフォン３０の背面３６は電池２０の湾曲面２４に対して接線方向に延びており、所要の隙間のために節約する。
【００１０】
補聴器の外部からの音は、マイクロフォン３０に届かなければならない。図２において、チャネル５０はポケット４０を面板１０の外面１４に接続させており、これにより、マイクロフォン３０の底面３２における開口のための、面板１０の外面１４への音響経路を提供している。音が減衰又はひずみなしに進行するようにチャネル５０は十分に大きいべきである。
【００１１】
ポケット４０におけるマイクロフォン３０の位置決め及び保持を補助するために、マイクロフォン３０の底面３２の一部に接着剤３８を塗布することができる。マイクロフォン３０がポケット４０に挿入されると、接着剤３８は底面３２とポケット４０の矩形面４２との間に接合を提供する。このことは、音響シールをも提供する。
【００１２】
図５にシェル６０を備えた面板１０が示されている。マイクロフォン３０が電池２０に近接して位置決めされていることにより、シェル６０のためのより狭いプロフィル（紙面における垂直方向）が提供されている。
【００１３】
ポケット４０の代わりに、マイクロフォン３０を所定の角度で配置するためにその他の構成を使用することができる。例えば、マイクロフォン３０の底面３２が背面３６に対して１２０゜の角度をなして形成されることができる。択一的に、面板１０の内面１２に、マイクロフォン３０を収容するポケット７２を含む斜面７０が形成されることができる。
【図面の簡単な説明】
【００１４】
【図１】電池及びマイクロフォンを有する補聴器面板を示す図である。
【図２】図１の面板の部分的な正面図である。
【図３】補聴器マイクロフォンの斜視図である。
【図４】電池及びマイクロフォンが取り外された図１の面板の内面を示す図である。
【図５】補聴器の部分的な切り取られた正面図である。
【図６】補聴器のための択一的なマイクロフォンを示している。
【図７】択一的な面板を示している。
【符号の説明】
【００１５】
１０  面板、  １２  内面、  １４  外面、  ２０  電池、  ２４  湾曲面、  ３０  マイクロフォン、  ３２  底面、  ３４  開口、  ３６  背面、  ３８  接着剤、  ４０  ポケット、  ４２  矩形の面、  ４４  背側区分、  ４６，４８  三角形の面、  ５０  チャネル、  ６０  シェル、  ７０  斜面、  ７２  ポケット
【図１】
2005520424.tif 000003
【図２】
2005520424.tif 000004
【図３】
2005520424.tif 000005
【図４】
2005520424.tif 000006
【図５】
2005520424.tif 000007
【図６】
2005520424.tif 000008
【図７】
2005520424.tif 000009
【国際調査報告】
2005520424.tif 000010
2005520424.tif 000011